(57)【要約】【課題】スクリーンに作用する開方向の付勢力の大きさの違いに拘らず、スクリーン枠に対する可動框のロック及びその解除を容易に且つ確実に行うことができ、しかも構造が簡単で安価に製造できるロック機構を備えたスクリーン装置を提供する。【解決手段】ロック機構１６は可動框８と受け枠３との間に設けられ、可動框８におけるスクリーン面に沿う表裏面側の一方に設けた係合部材１７と、受け枠３における可動框８の係合部材１７に相対峙する係合部材１８とを備える。両係合部材１７，１８は可動框８の表裏面側の一方への押圧または引張により係合が離脱する係合面１７ｂ，１８ｂを有する。可動框８の係合部材１７を受け枠３の係合部材１８に弾性的に圧接することにより係脱可能に衝合させる。【選択図】図４
2008014005.tif 000002
【特許請求の範囲】
【請求項１】
スクリーン枠と該スクリーン枠内をガイドされるスクリーンの開閉のための、開方向付勢力が付与された可動框との間に、該スクリーン枠内においてスクリーンを全張設状態に保持するロック機構を備えたスクリーン装置において、
上記ロック機構は、上記可動框と該可動框と衝合するスクリーン枠の受け枠との間に設けられており、該可動框におけるスクリーン面に沿う表裏面側のいずれか一方に設けた係合部材と、該受け枠における上記可動框の係合部材に相対峙して設けた係合部材とを備え、これらの両係合部材は、その係合部分において可動框の表裏面側の一方への押圧または引張により係合が離脱する係合面を有し、
上記可動框の係合部材が上記受け枠の係合部材に対して弾性的に圧接することにより、上記可動框と受け枠とを係脱可能に衝合させた、
ことを特徴とするスクリーン装置。
【請求項２】
上記受け枠を、上記可動框と衝合する衝合面の両側に対向して立設した一対の長手方向の側壁を有する断面略コ字状に形成して、該可動框と受け枠との衝合状態において、該受け枠の両側壁間に上記可動框が嵌入するものとして構成し、
上記受け枠の両側壁と上記可動框の表裏面側との間に、該可動框の表裏面側の一方へ上記弾性的な圧接の付勢力に抗して押圧または引張することにより上記両係合部材の係合面の係合を離脱させることが可能な大きさの空隙を形成した、
ことを特徴とする請求項１に記載のスクリーン装置。
【請求項３】
上記受け枠の係合部材が、上記可動框の係合部材に相対峙する側壁の内側において、スクリーン枠内における開閉操作時のガイド位置にある可動框の係合部材よりも上記両側壁間の中央部側に偏倚させて設けられており、上記可動框を該受け枠の係合部材により両側壁間において偏倚させて衝合させることにより、上記可動框の係合部材を受け枠の係合部材に対して弾性的に圧接させた、
ことを特徴とする請求項１または２に記載のスクリーン装置。
【請求項４】
上記受け枠における係合部材を設けた側壁と相対峙する側壁の該係合部材から離間した部位に、上記可動框の係合部材を受け枠の係合部材に対して付勢させるための支点部材を設けた、
ことを特徴とする請求項１乃至３のいずれかに記載のスクリーン装置。
【請求項５】
スクリーンが巻取軸内に設けたスプリングの付勢力で該巻取軸に巻き取るようにした巻取り式である、
ことを特徴とする請求項１乃至４のいずれかに記載のスクリーン装置。
【発明の詳細な説明】
【技術分野】
【０００１】
本発明は、スクリーン枠にスクリーンを張設した状態で可動框を該スクリーン枠にロックする機構を簡単化したスクリーン装置関するものである。
【背景技術】
【０００２】
従来から、防虫や遮光、目隠し、断熱等のためのスクリーン装置において、スクリーンを張設した状態で該スクリーンの可動框をスクリーン枠にロックする機構としては、可動框とスクリーン枠における受け枠との間にマグネットを用いた吸着手段が広く用いられている。
しかしながら、上記マグネットでロックする場合、マグネットの吸着力がスクリーンの巻取力に必ずしも適合していないことがあり、すなわち、巻取軸内に設けたスプリングの付勢力でスクリーンを巻き取るようにした巻取式のスクリーン装置のように、スクリーンに対して開方向の付勢力を作用させている場合には、該付勢力の大きさの違いによりロック解除のためのマグネットの引離し荷重が変化し、マグネットの力がスクリーンの巻取力と比較して大きいと、ロック解除のためにマグネットを吸着状態から離脱させるのに比較的大きな力を必要とし、逆にマグネットの力がスクリーンの巻取力と比較して小さいと、スクリーンに風の力が作用しただけでマグネットの吸着状態が解除されてしまうことになる。
【発明の開示】
【発明が解決しようとする課題】
【０００３】
本発明の技術的課題は、スクリーンに作用する開方向の付勢力の大きさの違いに拘らず、スクリーン枠に対する可動框のロック及びその解除を容易に且つ確実に行うことができ、しかも構造が簡単で安価に製造することができるロック機構を備えたスクリーン装置を提供することにある。
【課題を解決するための手段】
【０００４】
上記課題を解決するための本発明は、スクリーン枠と該スクリーン枠内をガイドされるスクリーンの開閉のための、開方向付勢力が付与された可動框との間に、該スクリーン枠内においてスクリーンを全張設状態に保持するロック機構を備えたスクリーン装置において、上記ロック機構は、上記可動框と該可動框と衝合するスクリーン枠の受け枠との間に設けられており、該可動框におけるスクリーン面に沿う表裏面側のいずれか一方に設けた係合部材と、該受け枠における上記可動框の係合部材に相対峙して設けた係合部材とを備え、これらの両係合部材は、その係合部分において可動框の表裏面側の一方への押圧または引張により係合が離脱する係合面を有し、上記可動框の係合部材が上記受け枠の係合部材に対して弾性的に圧接することにより、上記可動框と受け枠とを係脱可能に衝合させたことを特徴とするものである。
【０００５】
このような構成を備えた本発明に係るスクリーン装置によれば、上記受け枠に対して可動框をロックする場合には、該可動框の係合部材が該受け枠の係合部材に対して弾性的に係合することにより、該可動框を受け枠に対してロックした状態に衝合させることができ、一方、上記受け枠に対する可動框のロックを解除する場合には、該可動框の表裏面側の一方への押圧または引張によりそれらの係合部材の係合面を離脱させることにより、該可動框の受け枠に対するロックを解除することができる。したがって、スクリーンに作用する開方向の付勢力の大きさの違いに拘らず、上記受け枠に対する可動框のロック及びその解除を容易に且つ確実に行うことができる。
しかも、上記ロック機構を、上記可動框の係合部材と受け枠の係合部材とを弾性的に係合させるだけの簡易な構造としているので、結果的にスクリーン装置を安価に製造することができる。
【０００６】
本発明の好ましい実施形態においては、上記受け枠を、上記可動框と衝合する衝合面の両側に対向して立設した一対の長手方向の側壁を有する断面略コ字状に形成して、該可動框と受け枠との衝合状態において、該受け枠の両側壁間に上記可動框が嵌入するものとして構成し、上記受け枠の両側壁と上記可動框の表裏面側との間に、該可動框の表裏面側の一方へ上記弾性的な圧接の付勢力に抗して押圧または引張することにより上記両係合部材の係合面の係合を離脱させることが可能な大きさの空隙を形成するのが適切であり、この場合、上記受け枠の係合部材を、上記可動框の係合部材に相対峙する側壁の内側において、スクリーン枠内における開閉操作時のガイド位置にある可動框の係合部材よりも上記両側壁間の中央部側に偏倚させて設け、上記可動框を該受け枠の係合部材により両側壁間において偏倚させて衝合させることにより、上記可動框の係合部材を受け枠の係合部材に対して弾性的に圧接させる構成とすることができる。このとき、上記受け枠における係合部材を設けた側壁と相対峙する側壁の該係合部材から離間した部位に、上記可動框の係合部材を受け枠の係合部材に対して付勢させるための支点部材を設けることができる。
上記構成を有するスクリーン装置は、スクリーンが巻取軸内に設けたスプリングの付勢力で該巻取軸に巻き取るようにした巻取り式のスクリーン装置に適用するのが好適である。
【発明の効果】
【０００７】
以上に詳述した本発明によれば、スクリーンに作用する開方向の付勢力の大きさの違いに拘らず、スクリーン枠に対する可動框のロック及びその解除を容易に且つ確実に行うことができ、しかも構造が簡単で安価に製造することが可能なロック機構を備えたスクリーン装置を提供することができる。
【発明を実施するための最良の形態】
【０００８】
以下に、本発明に係るスクリーン装置の実施の形態の例を、図面に基いて詳細に説明する。
図１〜図５は、本発明に係るスクリーン装置の第１実施例を示している。このスクリーン装置におけるスクリーン枠１は、図１に明瞭に示すように、左右の縦枠の一方が内部にスクリーン６を巻き取るための巻取軸７を備えた巻取り式スクリーン装置の巻取りボックス２として構成され、また、他方の縦枠は上記スクリーン６の張設時に可動框８が衝当する受け枠３として構成されており、それらの巻取りボックス２と受け枠３の上下部をそれぞれ上部の横枠４及び下部の横枠５で連結することにより構成されている。
【０００９】
上記スクリーン枠１における一方の縦枠を構成する巻取りボックス２は、図１に示すように、その内部にスプリング７ａを内蔵した巻取軸７を回転自在に支持しており、該巻取軸７のスプリング７ａの捩りによる回転付勢力を該巻取軸７における上記スクリーン６の巻き取りのための駆動源としている。このように、スクリーン６を巻取軸７へ巻き取ることにより巻取りボックス２内に収容できるようにすると、スクリーン枠１内にスクリーン６をコンパクトに収納することができ、スクリーン６を配設するのに必要なスペースを小さくすることができる。なお、上記巻取軸７を、スクリーン６の開閉操作に供する可動框８内に設けて、該可動框８によるスクリーン６の開閉操作に伴って該可動框８から導出入する構成とすることもできる。
【００１０】
上記スクリーン枠１における他方の縦枠を構成する受け枠３は、図１，図２及び図４（ａ），（ｂ）に示すように、上記スクリーン６の全張設状態において上記可動框８が衝合する衝合面３ａの両側に、該可動框８の衝合面８ａ側に対向して立設した一対の側壁３ｂ，３ｂを有する断面略コ字状に形成されており、該受け枠３に対して上記可動框８が衝合した状態において、該受け枠３の両側壁３ｂ，３ｂ間に上記可動框８における衝合面８ａ側の一部が嵌入されるように構成されている（図２及び図４（ｂ）参照）。
【００１１】
上記横枠４，５は、スクリーン６の側端（図１における上下端）をガイドするもので、図３に示すように、該スクリーン６側において開口する溝状の型材からなり、それらの開口の口縁に内向きに対向する各一対のガイド部４ａ，４ｂ及び５ａ，５ｂが形成され、上記横枠４，５の開口の外面を可動框８の両端に設けた各一対の転輪９の転動面としている。
また、可動框８の両端部表裏面側には、図３に示すように、上記横枠４，５のガイド部４ａ，４ｂ，５ａ，５ｂが対向側面の側から嵌入する一対のガイド溝１０を備え、これらのガイド溝１０に対するガイド部４ａ，４ｂ及び５ａ，５ｂの嵌入により、上記スクリーン６の一端を保持する可動框８の上下端をガイドするように構成している。
【００１２】
上記スクリーン６の側端を保持してガイドするため、図１及び図３からわかるように、該スクリーン６の両側端には先端に多数の係合子１１ａを列設状態で取り付けた係合片１１を設け、一方、横枠４，５内には、摺動性のよい合成樹脂からなり、上記係合片１１の係合子１１ａを係合させるスリット１２ａを設けた側端係止部材１２を、その両側に突出する凸板１２ｂが横枠４，５の内溝４ｄ，５ｄ内において移動可能な範囲内において遊動自在に嵌挿している。上記スクリーン６の側端に取り付ける係合片１１は、汎用のファスナーの半体またはそれと同様な構造を有する素材を利用することができる。
【００１３】
上記スクリーン６は、それが破損した場合の交換等のために、その一端が周知の手段で上記巻取軸７に着脱自在に固定され、一方、スクリーン６の他端は、図２及び図４（ｂ）に示すように、取付部材１３を介して可動框８に着脱自在に固定されている。この取付部材１３は、合成樹脂により弾性的な開放傾向をもたせた断面略Ｕ字状の部材により形成したもので、その一方の口縁に外向きの係合鉤部１３ａを設けるとともに、その内部に、スクリーン６の端部に固定した凸片１４を係合させるスリット１３ｂを設けている。
一方、上記可動框８には、上記取付部材１３の取付溝１５を設けるとともに、該取付溝１５の口縁内に上記係合鉤部１３ａを係止させる係止凹部１５ａを設けている。また、図示は省略しているが、上記取付部材１３の取り外しのため、取付溝１５の口縁の一部には、係止凹部１５ａに係止した取付部材１３の係合鉤部１３ａをドライバー等の工具の先で該係止凹部１５ａから離脱させるための操作凹部が設けられている。
【００１４】
したがって、上記取付部材１３内のスリット１３ｂにスクリーン６の先端の凹部１６を係合させた状態で、上記取付部材１３を可動框８における取付溝１５に弾性的に圧嵌したうえで、上記係合鉤部１３ａをその取付溝１５の口縁内の係止凹部１５ａに係合させることにより、スクリーン６を可動框８に固定することができ、一方、可動框８の取付溝１５の口縁の一部に設けた操作凹部（図示省略）にドライバー等の工具の先端を挿入して、係止凹部１５ａに係止した取付部材１３の係合鉤部１３ａを該係止凹部１５ａから離脱させることにより、該取付部材１３を可動框８の取付溝１５から取り外すことができる。
なお、上記可動框８からのスクリーン６の着脱は、可動框８をスクリーン枠１に装着した状態で行うことができ、それによって、スクリーン枠１の全体または一部を取り外すことなくスクリーン６を交換することが可能になるばかりでなく、後述するスクリーン枠１からの可動框８の着脱も容易になる。
【００１５】
上記受け枠３に対して可動框８をロックできるようにするため、該受け枠３と可動框８との間にはロック機構１６が設けられており、この実施例では、建物開口部の内側から押圧または外側からの引張により上記受け枠３と可動框８とを係脱させるロック機構１６として構成されている。
さらに具体的には、上記ロック機構１６は、図４（ａ），（ｂ）に明確に示すように、上記可動框８における建物開口部の内側に面するスクリーン面に沿う表面側縁部で、且つ該可動框８の衝合面８ａから上記受け枠３の衝合面３ａ側に対向して該可動框８の全長に亘って立設した係合部材１７と、該受け枠３における上記可動框８の係合部材に相対峙する側壁３ｂの内側のほぼ中央部に付設された係合部材１８とを備えている。
【００１６】
上記可動框８の係合部材１７は、上記受け枠３の係合部材１８側に面する側面に凹部１７ａを設けることにより、その先端が受け枠３の係合部材１８側に折曲した鉤形に形成されており、その凹部１７ａにおける上記受け枠３側の側面を上記受け枠３の係合部材１８に係合するための係合面１７ｂとしている。
一方、上記受け枠３の係合部材１８は、その内側面に、上記可動框８との衝合状態において、該可動框８における係合部材１７の凹部１７ａに嵌入する凸部１８ａが形成されており、該凸部１８ａにおける上記受け枠３の衝合面３ａに面する側面を該可動框８の係合部材１７における係合面１７ｂと相互に係合する係合面１８ｂとしている。また、該係合部材１８は、それ自体に若干厚みをもたせることにより、上記受け枠３の側壁３ｂの内側において、上記可動框８における係合部材１７の凹部１７ａに嵌入するところの上記凸部１８ａが、上記スクリーン枠１内における開閉操作時のガイド位置にある可動框８の係合部材１７よりも上記両側壁３ｂ，３ｂ間の中央部側に偏倚させて設けられている。
そして、上記受け枠３の両側壁３ｂ，３ｂと上記可動框８の表裏面側との間には、該可動框８と受け枠３との衝合状態において、該可動框８を建物開口部の内側から押圧し、あるいは建物開口部の外側から引張することにより、上記両係合部材１７，１８における弾性的な圧接の付勢力に抗して該両係合部材１７，１８における係合面１７ｂ，１８ｂの係合を離脱させることが可能な大きさの空隙１９が形成されている。
【００１７】
したがって、上記可動框８と受け枠３との衝合状態においては、図５に示すように、該可動框８が受け枠３の係合部材１８により両側壁３ｂ，３ｂ間において偏倚して衝合されるので、上記スクリーン枠１における上下の横枠４，５にガイドされるところの可動框８の上下端部を支点として、該可動框８が略弓形をなすように弾性的に変形することになり、その反力によって上記可動框８の係合部材１７を受け枠３の係合部材１８に対して弾性的に圧接させることができる。
而して、上記可動框８の係合部材１７が上記受け枠３の係合部材１８に対して弾性的に圧接することにより、上記可動框８を受け枠３に対してロックすることができ、一方、これらの両係合部材１７，１８の係合部分において、該両係合部材１７，１８における弾性的な圧接の付勢力に抗して上記可動框８を表面側から押圧するか、あるいは裏面側から引張することにより、該可動框８が上記受け枠３の側壁３ｂとの間に形成された空隙１９側に押動されるので、上記係合面１７ｂ，１８ｂの係合が離脱し、上記受け枠３に対する可動框８のロックを解除することができる。
なお、建物開口部の外側、すなわち上記可動框８の裏面側から該可動框８の上記受け枠３に対するロックを解除を容易にするため、該可動框８の裏面に引張操作用の把手を設けることができる、
【００１８】
而るに、スクリーン枠１及び可動框８の高さ寸法が大きい場合には、該スクリーン枠１における上下の横枠４，５によってガイドされる可動框８の上下端部（支点）と、上記受け枠３の係合部材１８との距離が長くなり、上記可動框８の弾性的な変形による反力が弱くなることが考えられる。このような場合には、図６（ａ），（ｂ）に示すように、上記受け枠３における係合部材１８を設けた側壁３ｂと相対峙する側壁３ｂ′において、該係合部材１８から所定の距離を置いて離間させた上下部に支点部材２０をそれぞれ付設することにより、該支点部材２０を支点として、上記可動框８が略弓形をなすように弾性的に変形することになり、その反力によって上記可動框８の係合部材１７を受け枠３の係合部材１８に対して弾性的に圧接させることができる。
【００１９】
このような構成を備えたスクリーン装置は、上記受け枠３に対して可動框８をロックする場合には、該可動框８の係合部材１７が該受け枠３の係合部材１８に対して弾性的に圧接することにより、該可動框８を受け枠３に対してロックした状態に衝合させることができ、一方、上記受け枠３に対する可動框８のロックを解除する場合には、該可動框８の表裏面側の一方への押圧または引張によりそれらの係合部材１７，１８の係合面１７ｂ，１８ｂを離脱させることにより、該可動框８の受け枠３に対するロックを解除することができる。したがって、スクリーン６に作用する開方向の付勢力の大きさの違いに拘らず、上記受け枠３に対する可動框８のロック及びその解除を容易に且つ確実に行うことができる。
しかも、上記ロック機構１６を、上記可動框８の係合部材１７と受け枠３の係合部材１８とを弾性的に圧接させるだけの簡易な構造としているので、結果的にスクリーン装置を安価に製造することができる。
【００２０】
なお、上記受け枠３に対して可動框８をロックできるようにするためのロック機構１６の構成は、前記第１実施例のような構成に限らず、図７（ａ），（ｂ）に示す第２実施例、あるいは図８（ａ），（ｂ）に示す第３実施例のような構成とすることができる。
すなわち、図７（ａ），（ｂ）に示す第２実施例においては、上記可動框８の係合部材２７を、その先端に受け枠３の係合部材２８側に折曲した鉤部２７ａを形成するとともに、その鉤部２７ａにおける当該可動框８側に向く一側面を上記受け枠３の係合部材２８に係合するための係合面２７ｂとしており、一方、上記受け枠３の係合部材２８は、その内側面に、上記可動框８との衝合状態において、該可動框８における係合部材２７の鉤部２７ａが係止する凸部２８ａが形成されており、該凸部２８ａにおける上記受け枠３の衝合面３ａに面する側面を該可動框８の係合部材２７における係合面２７ｂと相互に係合する係合面２８ｂとしている。
そして、上記受け枠３の両側壁３ｂ，３ｂと上記可動框８の表裏面側との間には、該可動框８と受け枠３との衝合状態において、該可動框８を建物開口部の内側から押圧し、あるいは建物開口部の外側から引張することにより、上記両係合部材２７，２８における弾性的な圧接の付勢力に抗して該両係合部材２７，２８における係合面２７ｂ，２８ｂの係合を離脱させることが可能な大きさの空隙２９が形成されている。
【００２１】
而して、この第２実施例におけるスクリーン装置においても、前記第１実施例と同様に、上記可動框８の係合部材２７が上記受け枠３の係合部材２８に対して弾性的に圧接することにより、上記可動框８を受け枠３に対してロックすることができ、一方、これらの両係合部材２７，２８の係合部分において、該両係合部材２７，２８における弾性的な圧接の付勢力に抗して上記可動框８を表面側から押圧するか、あるいは裏面側から引張することにより、該可動框８が上記受け枠３の側壁３ｂとの間に形成された空隙１９側に押動されるので、上記係合面２７ｂ，２８ｂの係合が離脱し、上記受け枠３に対する可動框８のロックを解除することができる。
【００２２】
また、図８（ａ），（ｂ）に示す第３実施例においては、上記可動框８の係合部材３７を、その先端に受け枠３の係合部材３８側に折曲した鉤部３７ａを形成するとともに、その鉤部３７ａにおける当該可動框８側に向く一側面を係合面３７ｂとしており、一方、上記受け枠３の係合部材３８は、その内側面に、上記可動框８との衝合状態において、該可動框８における係合部材３７の鉤部３７ａが嵌入する凹部３８ａが形成されており、該凹部３８ａにおける上記可動框８側の一側面を係合面３８ｂとしている。
そして、上記受け枠３の両側壁３ｂ，３ｂと上記可動框８の表裏面側との間には、該可動框８と受け枠３との衝合状態において、該可動框８を建物開口部の内側から押圧し、あるいは建物開口部の外側から引張することにより、上記両係合部材３７，３８における弾性的な係合の付勢力に抗して該両係合部材３７，３８における係合面３７ｂ，３８ｂの係合を離脱させることが可能な大きさの空隙３９が形成されている。
【００２３】
而して、この第３実施例のスクリーン装置においても、上記可動框８の係合部材３７が上記受け枠３の係合部材３８に対して弾性的に圧接することにより、上記可動框８を受け枠３に対してロックすることができ、一方、これらの両係合部材３７，３８の係合部分において、該両係合部材３７，３８における弾性的な圧接の付勢力に抗して上記可動框８を表面側から押圧するか、あるいは裏面側から引張することにより、該可動框８が上記受け枠３の側壁３ｂとの間に形成された空隙１９側に押動されるので、上記係合面３７ｂ，３８ｂの係合が離脱し、上記受け枠３に対する可動框８のロックを解除することができる。
【００２４】
なお、上記第２実施例及び第３実施例のその他の構成及び作用は、実質的に前記第１実施例と同一であるから、それらの説明を省略する。
ここで、上述した各実施例においては、本発明をスクリーンが巻取軸内に設けたスプリングの付勢力で該巻取軸に巻き取るようにした巻取り式のスクリーン装置に適用した場合について記載したが、それに限定されるものではなく、例えば、一端をスクリーン枠または可動框に固定したワイヤーを、上記スクリーン中に水平に挿通したうえで上記スクリーン枠または可動框の内部に垂下させ、該スクリーン枠または可動框の内部においてそのワイヤーの先端に重錘を吊下することにより、該スクリーンに対して開方向の付勢力を付与した折畳み式のスクリーン装置など、スクリーンに対して開方向の付勢力を作用させているスクリーン装置に適用することができる。
【図面の簡単な説明】
【００２５】
【図１】本発明に係るスクリーン装置の第１実施例を示す一部破断正面図である。
【図２】同実施例の一部破断平面図である。
【図３】同実施例のＡ−Ａ矢示側断面図である。
【図４】（ａ）は同実施例における受け枠と可動框が衝合していない状態を示す要部拡大部分平断面図、（ｂ）は同実施例における受け枠と可動框が衝合している状態を示す要部拡大部分平断面図である。
【図５】スクリーン枠の高さが低いスクリーン装置における受け枠と可動框が衝合している状態を説明する側断面図である。
【図６】（ａ）はスクリーン枠の高さが高いスクリーン装置における受け枠とか同框が衝合している状態を説明する側断面図、（ｂ）は（ａ）のＡ−Ａ線における部分破断拡大平断面図である。
【図７】（ａ）は本発明の第２実施例における受け枠と可動框が衝合していない状態を示す要部拡大部分平断面図、（ｂ）は同実施例における受け枠と可動框が衝合している状態を示す要部拡大部分平断面図である。
【図８】（ａ）は本発明の第３実施例における受け枠と可動框が衝合していない状態を示す要部拡大部分平断面図、（ｂ）は同実施例における受け枠と可動框が衝合している状態を示す要部拡大部分平断面図である。
【符号の説明】
【００２６】
１    スクリーン枠
３    受け枠
３ａ，８ａ  衝合面
３ｂ  側壁
６    スクリーン
８    可動框
１６    ロック機構
１７，１８，２７，２８，３７，３８    係合部材
１７ｂ，１８ｂ，２７ｂ，２８ｂ，３７ｂ，３８ｂ  係合面
１９，２９，２９    空隙
２０    支点部材
【図１】
2008014005.tif 000003
【図２】
2008014005.tif 000004
【図３】
2008014005.tif 000005
【図４】
2008014005.tif 000006
【図５】
2008014005.tif 000007
【図６】
2008014005.tif 000008
【図７】
2008014005.tif 000009
【図８】
2008014005.tif 000010